(57)【要約】【課題】  容易に高さを微調整することができるとともに、大きく高さを変えることも容易に行うことができる上下調節機能付き脚を提供すること。【解決手段】  円柱状部１１１の外周面に雄ネジ１１４が形成されている脚部材１１０が貫通する筐体１２０内に、雄ネジ１１４に噛み合う雌ネジが形成されたロック部材１３０と、ロック部材１３０を円柱状部１１１の方向に付勢する付勢部材１４０と、を収納し、ロック部材１３０と円柱状部１１１とが接触した状態で、ネジ１１４、１３３の作用によって、高さ調節を行うことができるとともに、筐体１２０の外部に突出しているロック部材本体１３１を押し込みロック部材１３０と円柱状部１１１との接触を解除した状態で、ネジ１１４、１３３の作用によらずに高さ調節を行うことができるようにした上下調節機能付き脚１００を提供する。【選択図】    図１
2005226739.tif 000002
【特許請求の範囲】
【請求項１】
少なくとも一部が円柱状に形成された円柱状部を有し、前記円柱状部の外周面には雄ネジが形成されている脚部材と、
前記円柱状部が貫通する内部空間を有する筐体と、
前記円柱状部の直径よりも横幅の広いロック部材本体に、中心角が１８０度以下に形成され、かつ、前記雄ネジに噛み合う雌ネジが形成された円弧面を有し、前記筐体の内部において付勢部材により前記円弧面が前記円柱状部に押圧され、前記付勢部材の付勢方向と平行な方向に揺動可能に収納されているロック部材と、
を備え、
前記筐体の側面には、横方向に延びる二つの貫通孔が前記ロック部材が揺動する平面とへ移行するように形成されており、前記ロック部材本体は、前記貫通孔を介して前記筐体の外部に突出し、外部に突出した前記ロック部材本体を前記付勢部材の付勢方向とは反対方向に押し込むことにより、前記円柱状部に押圧されている前記円弧面を前記円柱状部から離すことができるようにしたことを特徴とする上下調節機能付き脚。
【請求項２】
少なくとも一部が円柱状に形成された円柱状部を有し、前記円柱状部の外周面には雄ネジが形成されている脚部材と、
前記円柱状部が貫通する内部空間を有する筐体と、
前記円柱状部の直径よりも横幅の広いロック部材本体に、中心角が１８０度以下に形成され、かつ、前記雄ネジに噛み合う雌ネジが形成された円弧面を有し、前記筐体の内部において付勢部材により前記円弧面が前記円柱状部に押圧され、前記付勢部材の付勢方向と平行な方向に揺動可能に収納されているロック部材と、
前記筐体の内部において、前記円柱状部を挟んで前記ロック部材の反対側に位置し、前記円柱状部の両側から前記ロック部材本体に接触する腕部を有し、前記付勢部材の付勢方向において前記円柱状部との間に所定の間隔を有するレバーと、を備え、
前記レバーを前記円柱状部の方向に押し込むことにより、前記円柱状部に押圧されている前記円弧面を前記円柱状部から離すことができるようにしたことを特徴とする上下調節機能付き脚。
【発明の詳細な説明】
【技術分野】
【０００１】
本発明は、上下調節機能付き脚に関し、特に、プロジェクター等に用いる上下調節機能付き脚に関する。
【背景技術】
【０００２】
従来から、プロジェクター等の電子投影機には、投影方向を変えるために上下調節機能付き脚が用いられており、従来の上下調節機能付き脚としては、特許文献１や特許文献２に表されているものが利用されている。
【０００３】
図８に表されているように、特許文献１に記載されている上下調節機能付き脚３００は、固定された一端と上下に揺動することができる他端とを備える係止板３０１の貫通孔に、上下方向に揺動自在にされている脚３０２を貫通させ、係止板３０１の他端側をバネ３０３により上方に引っ張り上げることで、係止板３０１が脚３０２に引っかかり脚３０２の上下への移動を止めることができるようにされており、この係止板３０１をバネ３０３に抗して下方に押し込むことにより、係止板３０１と脚３０２との引っ掛かりを解除して、脚３０２を上下に移動させることができるようにしていた。
【０００４】
また、図９に表されているように、特許文献２に記載されている上下調節機能付き脚４００は、円柱状に形成された脚部４０１の外周に雄ネジ４０２を形成し、プロジェクター等の電子投影機に取り付ける本体４０３側に、この雄ネジ４０２に噛み合う雌ネジ４０４を形成しておくことで、脚部４０１を回転させて、この脚部４０１を本体４０３から引っ張り出したり、本体４０３に引っ込めたりすることで、本体に取り付けられている電子投影機等の高さを変えることができるようにしていた。
【特許文献１】実開昭５７−１８７１８６号公報
【特許文献２】特開２００３−１８７３１２号公報
【発明の開示】
【発明が解決しようとする課題】
【０００５】
しかしながら、特許文献１に記載されている上下調節機能付き脚３００では、係止板３０１が脚３０２に引っかかることで、この脚３０２を固定しているため、この係止板３０１と脚３０２と引っ掛かりを解くのみで、容易に脚３０２を上下に動かすことができるが、脚の高さを微調整するのには不便であった。
【０００６】
これに対して、特許文献２に記載されているように、ネジにより上下の高さを変える上下調節機能付き脚４００では、脚部４０１の高さを微調整する場合には、有利であるが、脚部４０１を上下に大きく動かす場合には、脚部４０１を多く回転させなければならず不便であった。
【０００７】
そこで、本発明は、容易に高さを微調整することができるとともに、大きく高さを変えることも容易に行うことができる上下調節機能付き脚を提供することを目的とする。
【課題を解決するための手段】
【０００８】
以上の課題を解決するため、本発明は、少なくとも一部が円柱状に形成された円柱状部を有し、前記円柱状部の外周面には雄ネジが形成されている脚部材と、前記円柱状部が貫通する内部空間を有する筐体と、前記円柱状部の直径よりも横幅の広いロック部材本体に、中心角が１８０度以下に形成され、かつ、前記雄ネジに噛み合う雌ネジが形成された円弧面を有し、前記筐体の内部において付勢部材により前記円弧面が前記円柱状部に押圧され、前記付勢部材の付勢方向と平行な方向に揺動可能に収納されているロック部材と、を備え、前記筐体の側面には、横方向に延びる二つの貫通孔が前記ロック部材が揺動する平面と平行となるように形成されており、前記ロック部材本体は、前記貫通孔を介して前記筐体の外部に突出し、外部に突出した前記ロック部材本体を前記付勢部材の付勢方向とは反対方向に押し込むことにより、前記円柱状部に押圧されている前記円弧面を前記円柱状部から離すことができるようにしたことを特徴とする上下調節機能付き脚を提供する。
【０００９】
このように、本発明によれば、高さを微調整する場合には、ロック部材の円弧面が脚部材の円柱状部に押圧された状態で脚部材を回転させればよく、また、高さを大きく変える場合には、筐体の外部に突出するロック部材を脚部材とは反対の方向に押圧することにより円弧面と脚部材との接触を解除して、脚部材を上方又は下方に動かせばよくなる。
【００１０】
また、本発明は、少なくとも一部が円柱状に形成された円柱状部を有し、前記円柱状部の外周面には雄ネジが形成されている脚部材と、前記円柱状部が貫通する内部空間を有する筐体と、前記円柱状部の直径よりも横幅の広いロック部材本体に、中心角が１８０度以下に形成され、かつ、前記雄ネジに噛み合う雌ネジが形成された円弧面を有し、前記筐体の内部において付勢部材により前記円弧面が前記円柱状部に押圧され、前記付勢部材の付勢方向と平行な方向に揺動可能に収納されているロック部材と、前記筐体の内部において、前記円柱状部を挟んで前記ロック部材の反対側に位置し、前記円柱状部の両側から前記ロック部材本体に接触する腕部を有し、前記付勢部材の付勢方向において前記円柱状部との間に所定の間隔を有するレバーと、を備え、前記レバーを前記円柱状部の方向に押し込むことにより、前記円柱状部に押圧されている前記円弧面を前記円柱状部から離すことができるようにしたことを特徴とする上下調節機能付き脚を提供する。
【００１１】
このように、本発明によれば、高さを微調整する場合には、ロック部材の円弧面が脚部材の円柱状部に押圧された状態で脚部材を回転させればよく、また、高さを大きく変える場合には、レバーを脚部材の方向に押圧することにより円弧面と脚部材との接触を解除して、脚部材を上方又は下方に動かせばよくなる。
【発明の効果】
【００１２】
以上のように、本発明によれば、脚部材に形成されている雄ネジに押圧される雌ネジが形成されているロック部材をこの脚部材から離すことができるため、容易に高さを微調整することができるとともに、大きく高さを変えることも容易に行うことができる。
【発明を実施するための最良の形態】
【００１３】
図１は、本発明の第二の実施形態に係る上下調節機能付き脚１００の縦断面図である。
【００１４】
本実施形態に係る上下調節機能付き脚１００は、脚部材１１０と、筐体１２０と、ロック部材１３０と、付勢部材１４０と、により構成されている。
【００１５】
脚部材１１０は、円柱状に形成された円柱状部１１１と、円柱状部１１１の下端に位置し机や床面等の接地面に接触する接地部材１１２と、円柱状部１１１の上端に位置し脚部材１１０が後述する筐体１２０から外れてしまうことを防止するストッパー１１３と、により構成されている。
【００１６】
図１においては円柱状部１１１の上方にしか示していないが、円柱状部１１１の外周の全面には、雄ネジ１１４が形成されている。
【００１７】
ここで、円柱状部１１１の長さＸについては、本実施形態に係る上下調節機能付き脚１００によって、調節したい高さを考慮して、適時選択することができる設計事項である。
【００１８】
円柱状部１１１の下端に位置している接地部材１１２は、机や床面等への接地面積を増やして本実施形態に係る上下調節機能付き脚１００を取り付けたプロジェクター等の電子投影機等が安定するように、円柱状部１１１よりも大きな直径を有する円柱状に形成されている。
【００１９】
また、このような接地部材１１２が取り付けられているため、脚部材１１０を筐体１２０に対して相対的に上方に動かした際にも、接地部材１１２が筐体１２０に引っ掛かり、脚部材１１０が筐体１２０から外れてしまうことを防止している。
【００２０】
円柱状部１１１の上端には、この円柱状部１１１よりも大きな直径を有するストッパー部１１３が形成されている。
【００２１】
このようなストッパー部１１３を形成しておくことにより、脚部材１１０を筐体１２０に対して相対的に下方に動かした際にも、ストッパー部１１３が筐体１２０に引っ掛かり、脚部材１１０が筐体１２０から外れてしまうことを防止している。
【００２２】
筐体１２０の内部には、後述するロック部材１３０を揺動自在に収納することができる内部空間１２１が形成されている。
【００２３】
また、筐体１２０の上面１２０ａ及び下面１２０ｂには、脚部材１１０の円柱状部１１１を貫通させるための円形の貫通孔１２２がそれぞれ同心となるように形成されており、これらの貫通孔１２２に円柱状部１１１を通すことにより円柱状部１１１は、筐体１２０の内部空間１２１を貫通することとなる。
【００２４】
図２（上下調節機能付き脚１００の側面図）に表されているように、筐体１２０の側面１２０ｃにはロック部材用貫通孔１２３が横方向に延びるように形成されている。
【００２５】
なお、このロック部材用貫通孔１２３は、後述するロック部材が揺動する面の側方に位置する側面１２０ｃに形成されている。
【００２６】
また、図４（上方調節機能付き脚１００の横断面図）に表されているように、側面１２０ｃに対向する側面１２０ｄにも、同様の位置にロック部材用貫通孔１２３が形成されている。
【００２７】
筐体１２０の上面１２０ａには、取付用部材１２４が設けられており、この取付用部材１２４をプロジェクターの底面１７０に形成されている貫通孔１７１に引っ掛けることにより、この上下調節機能付き脚１００はプロジェクターに取り付けることができるようにしているが、取り付け方法についてはこのような態様に限定されない。
【００２８】
ロック部材１３０は、上述した筐体１２０の内部空間１２１に揺動自在に収納することができる大きさ・形状に形成されたロック部材本体１３１と、図３（ロック部材１３０の正面図）に表されているように、上述した円柱状部１１１に形成されている雄ネジ１１４に噛み合う雌ネジ１３３が形成されている円弧面１３２と、により形成されている。
【００２９】
ロック部材本体１３１の正面に形成されている円弧面１３２の中心角αについては、１８０度以下の範囲で適時選択することができる設計事項であるが、本実施形態においては、図４に表されているように、中心角が１８０度となるように形成されている。
【００３０】
なお、図４に表されているように、ロック部材本体１３１の横幅Ｙは、円柱状部１１１の直径Ｚよりも大きくなるように形成されており、筐体１２０の側面１２０ｃ、１２０ｄに形成されているロック部材用貫通孔１２３を介して、ロック部材本体１３１は筐体１２０の外部に突出している。
【００３１】
ここで、ロック部材本体１３１を筐体１２０からどの程度突出させるかは、後述するように、ロック部材本体１３１を付勢部材１４０の付勢方向とは反対方向に押し込む際に便利な範囲で適時選択することができる設計事項である。
【００３２】
ロック部材１３０は、筐体１２０の内部空間１２１において、付勢部材１４０により、円柱状部１１１の方向に付勢され、ロック部材１３０の円弧面１３２が円柱状部１１１に押圧されている。
【００３３】
付勢部材１４０については、ロック部材１３０を円柱状部１１１の方向に付勢することができるものであればどのようなものであってもよいが、本実施形態においては、弾性部材からなる渦巻きバネにより形成している。
【００３４】
このような付勢部材１４０により、ロック部材１３０の円弧面１３２が円柱状部１１１に押圧されているため、円柱状部１１１の外周に形成されている雄ネジ１１４と、円弧面１３２に形成されている雌ネジ１３３と、が噛み合い、これらのネジ１１４、１３３の作用により、脚部材１１０を回転させることでこの脚部材１１０を筐体１２０に対して相対的に上下に動かすことができるようになる。
【００３５】
なお、筐体１２０の外部に突出するロック部材本体１３１を付勢部材１４０の付勢方向とは反対の方向に押し込むことにより、ロック部材１３０の円弧面１３２と円柱状部１１１との接触が外され、脚部材１１０をネジ１１４、１３３の作用によらずに筐体１２０に対して相対的に上下に移動させることができるようになる。
【００３６】
以上のように本実施形態に係る上下調節機能付き脚１００を構成したので、脚部材１１０の高さを微調節したい場合には、ロック部材本体１３１を押し込まずに、ロック部材１３０の円弧面１３２と円柱状部１１１とが接触した状態で、ネジ１１４、１３３の作用によって、高さ調節を行うことができ、脚部材１１０の高さを大幅に変えたい場合には、ロック部材本体１３１を押し込み、ロック部材１３０の円弧面１３２と円柱状部１１１との接触を解除した状態で、ネジ１１４、１３３の作用によらずに高さ調節を行うことができるようになる。
【００３７】
図５は、本発明の第二の実施形態に係る上下調節機能付き脚２００の縦断面図である。
【００３８】
本実施形態に係る上下調節機能付き脚２００は、脚部材２１０と、筐体２２０と、ロック部材２３０と、付勢部材２４０と、レバー２５０と、により構成されている。
【００３９】
脚部材２１０は、円柱状に形成された円柱状部２１１と、円柱状部２１１の下端に位置し机や床面等の接地面に接触する接地部材２１２と、円柱状部２１１の上端に位置し脚部材２１０が後述する筐体２２０から外れてしまうことを防止するストッパー２１３とにより構成されている。
【００４０】
図５においては円柱状部２１１の上方にしか示していないが、円柱状部２１１の外周の全面には、雄ネジ２１４が形成されている。
【００４１】
ここで、円柱状部２１１の長さＸについては、本実施形態に係る上下調節機能付き脚２００によって、調節したい高さを考慮して、適時選択することができる設計事項である。
【００４２】
円柱状部２１１の下端に位置している接地部材２１２は、机や床面等への接地面積を増やして本実施形態に係る上下調節機能付き脚２００を取り付けたプロジェクター等の電子投影機等が安定するように、円柱状部２１１よりも大きな直径を有する円柱状に形成されている。
【００４３】
また、このような接地部材２１２が取り付けられているため、脚部材２１０を筐体２２０に対して相対的に上方に動かした際にも、接地部材２１２が筐体２２０に引っ掛かり、脚部材２１０が筐体２２０から外れてしまうことを防止している。
【００４４】
円柱状部２１１の上端には、この円柱状部２１１よりも大きな直径を有するストッパー部２１３が形成されている。
【００４５】
このようなストッパー部２１３を形成しておくことにより、脚部材２１０を筐体２２０に対して相対的に下方に動かした際にも、ストッパー部２１３が筐体２２０に引っ掛かり、脚部材２１０が筐体２２０から外れてしまうことを防止している。
【００４６】
筐体２２０の内部には、後述するロック部材２３０を揺動自在に収納することができる内部空間２２１が形成されている。
【００４７】
また、筐体２２０の上面２２０ａ及び下面２２０ｂには、脚部材２１０の円柱状部２１１を貫通させるための円形の貫通孔２２２がそれぞれ同心となるように形成されており、これらの貫通孔２２２に円柱状部２１１を通すことにより円柱状部２１１は、筐体２２０の内部空間２２１を貫通することとなる。
【００４８】
筐体２２０の上面２２０ａには、取付用部材２２４が設けられており、この取付用部材２２４をプロジェクターの底面１７０に形成されている貫通孔１７１に引っ掛けることにより、この上下調節機能付き脚２００はプロジェクターに取り付けることができるようにしているが、取り付け方法についてはこのような態様に限定されない。
【００４９】
なお、筐体２２０の一側面には開口部２２０ｃが形成されており、筐体２２０の内部空間２２１は、この開口部２２０ｃを通じて外部と連通している。
【００５０】
ロック部材２３０は、上述した筐体２２０の内部空間２２１に揺動自在に収納することができる大きさ・形状に形成されたロック部材本体２３１と、図６（ロック部材２３０の正面図）に表されているように、上述した円柱状部２１１に形成されている雄ネジ２１４に噛み合う雌ネジ２３３が形成されている円弧面２３２と、により形成されている。
【００５１】
ロック部材本体２３１の正面に形成されている円弧面２３２の中心角αについては、１８０度以下の範囲で適時選択することができる設計事項であるが、本実施形態においては、図７（上下調節機能付き脚２００の横断面図）に表されているように、中心角が１８０度となるように形成されている。
【００５２】
なお、図７に表されているように、ロック部材本体２３１の横幅Ｙは、円柱状部２１１の直径Ｚよりも大きくなるように形成されており、円柱状部２１１の両側にロック部材本体２３１は突出している。
【００５３】
ロック部材２３０は、筐体２２０の内部空間２２１において、付勢部材２４０により、円柱状部２１１の方向に付勢され、ロック部材２３０の円弧面２３２が円柱状部２１１に押圧されている。
【００５４】
付勢部材２４０については、ロック部材２３０を円柱状部２１１の方向に付勢することができるものであればどのようなものであってもよいが、本実施形態においては、弾性部材からなる渦巻きバネにより形成している。
【００５５】
このような付勢部材２４０により、ロック部材２３０の円弧面２３２が円柱状部２１１に押圧されているため、円柱状部２１１の外周に形成されている雄ネジ２１４と、円弧面２３２に形成されている雌ネジ２３３と、が噛み合い、これらのネジ２１４、２３３の作用により、脚部材２１０を回転させることでこの脚部材２１０を筐体２２０に対して相対的に上下に動かすことができるようになる。
【００５６】
筐体２２０の内部空間２２１には、図７に表されているように、開口部２２０ｃの方向から、円柱状部２１１の両側においてロック部材本体２３１に延びる腕部２５１を有するレバー２５０が挿入されている。
【００５７】
この腕部２５１については、図７に表されているように、ロック部材本体２３１と円柱状部２１１の両端からロック部材本体２３１に接触した際に、付勢部材２４０の付勢方向において円柱状部２１１との間に所定の間隔Ｓがあく程度の長さに形成されている。
【００５８】
従って、レバー２５０を円柱状部２１１の方向に押し込むことにより、この間隔Ｓが埋まり、腕部２５１がロック部材本体２３１を押し込み、ロック部材２３０の円弧面２３２と円柱状部２１１との接触が外され、脚部材２１０をネジ２１４、２３３の作用によらずに筐体２２０に対して相対的に上下に移動させることができるようになる。
【００５９】
以上のように本実施形態に係る上下調節機能付き脚２００を構成したので、脚部材２１０の高さを微調節したい場合には、レバー２５０を押し込まずに、ロック部材２３０の円弧面２３２と円柱状部２１１とが接触した状態で、ネジ２１４、２３３の作用によって、高さ調節を行うことができ、脚部材２１０の高さを大幅に変えたい場合には、レバー２５０を押し込み、ロック部材２３０の円弧面２３２と円柱状部２１１との接触を解除した状態で、ネジ２１４、２３３の作用によらずに高さ調節を行うことができるようになる。
【図面の簡単な説明】
【００６０】
【図１】第一の実施形態に係る上下調節機能付き脚１００の縦断面図。
【図２】上下調節機能付き脚１００の側面図。
【図３】ロック部材１３０の正面図。
【図４】上下調節機能付き脚１００の横断面図。
【図５】第二の実施形態に係る上下調節機能付き脚２００の縦断面図。
【図６】ロック部材２３０の正面図。
【図７】上下調節機能付き脚２００の横断面図。
【図８】従来の上下調節機能付き脚３００を表す縦断面図。
【図９】従来の上下調節機能付き脚４００を表す縦断面図。
【符号の説明】
【００６１】
１００、２００  上下調節機能付き脚
１１０、２１０  脚部材
１１１、２１１  円柱状部
１１４、２１４  雄ネジ
１２０、２２０  筐体
１２１、２２１  内部空間
１３０、２３０  ロック部材
１３１、２３１  ロック部材本体
１３２、２３２  円弧面
１３３、２３３  雌ネジ
１４０、２４０  付勢部材
１５０、２５０  レバー
１５１、２５１  腕部
【図１】
2005226739.tif 000003
【図２】
2005226739.tif 000004
【図３】
2005226739.tif 000005
【図４】
2005226739.tif 000006
【図５】
2005226739.tif 000007
【図６】
2005226739.tif 000008
【図７】
2005226739.tif 000009
【図８】
2005226739.tif 000010
【図９】
2005226739.tif 000011